(57)【特許請求の範囲】
【請求項１】
断面の少なくとも１部に平面部を有し、長手方向の端部が係止されて、互いに所定の間隔を持って略平面状に配置される複数の長尺体と、
前記長尺体の少なくとも１つの前記平面部に配設され、前記平面部とは反対側の領域の輝度よりも高い輝度で発光する面状発光モジュールと、
を備え、
前記面状発光モジュールは、波長４１０ｎｍ以上の光を放射することを特徴とする視線遮蔽装置。
【請求項２】
前記面状発光モジュールは、少なくとも２つの前記平面部に配置され、それぞれの前記面状発光モジュールが個別に発光制御されることを特徴とする請求項１に記載した視線遮蔽装置。
【請求項３】
前記長尺体は、回動自在とされて発光方向が変えられることを特徴とする請求項１または請求項２に記載した視線遮蔽装置。
【発明の詳細な説明】
【技術分野】
【０００１】
本発明は視線遮蔽装置に係り、例えば、面発光させることにより外部からの視線を遮蔽することができる視線遮蔽装置に関する。
【背景技術】
【０００２】
ブラインドは、垂直方向または水平方向に細長い形状の多数のパーツを、一定の間隔を持って連続配置して構成され、空気、熱、光などを通過させながら、視線遮蔽効果を有する。このようなブラインドに発光機能を持たせたブラインド装置としては、帯状のブラインド本体を発光するＥＬシートで構成して、夜間の広告やディスプレイとして使用するようにした発光ブラインドが知られている（例えば、特許文献１参照）。
【０００３】
また、太陽電池と、電気エネルギを蓄電するシート状ポリマー二次電池と、シート状面発光体とを備え、太陽エネルギを利用して室内を照明するようにしたブラインド装置がある（例えば、特許文献２参照）。
【０００４】
【特許文献１】特開２０００−３０３７５８号公報
【特許文献２】特開２００１−８２０５８号公報
【発明の開示】
【発明が解決しようとする課題】
【０００５】
ところで、ブラインド、ルーバー、あるいはフェンスなどの持つ視線遮蔽効果は、照度の高い領域から低い領域を見る場合に有効であり、逆方向の場合には、満足な効果が得られ難い問題があった。また、換気などのために窓が開放されていると、ブラインドの隙間から外部に漏れる光によって虫などを室内（照度の低い領域）に誘導してしまうという不都合があった。
【０００６】
本発明は、前述した問題点に鑑みてなされたものであり、その目的は、低照度領域（例えば、夜間における室外）から高照度領域（例えば、夜間における室内）を見る場合にも視線遮蔽効果を有すると共に、虫などを誘導することのない視線遮蔽装置を提供することにある。
【課題を解決するための手段】
【０００７】
前述した目的を達成するために、本発明は、断面の少なくとも１部に平面部を有し、長手方向の端部が係止されて、互いに所定の間隔を持って略平面状に配置される複数の長尺体と、前記長尺体の少なくとも１つの前記平面部に配設され、前記平面部とは反対側の領域の輝度よりも高い輝度で発光する面状発光モジュールと、を備え、前記面状発光モジュールは、波長４１０ｎｍ以上の光を放射することを特徴としている。
【０００８】
ここで、長尺体としては、例えば、ブラインドのスラットや、断面多面体の棒状部材等が例示できる。また、面状発光モジュールとしては、例えば、ＥＬ（Electro Luminescence）等が例示できる。
【０００９】
このように構成された視線遮蔽装置においては、平面部に面状発光モジュールを備える複数の長尺体が、互いに所定の間隔を持って略平面状に配置されているので、長尺体の隙間から見える視線遮蔽装置の向こう側の輝度よりも、高い輝度で面状発光モジュールを発光させることによって、照度の低い領域から高い領域を見る場合にも、視線遮蔽効果が得られる。従って、この視線遮蔽装置においては、夜間、外部（室外）から室内が見えてしまうと言う、従来のブラインド装置のように視線遮蔽効果が得られない場合があるという問題を解消できることになる。
【００１０】
また、各面状発光モジュールは、個別に発光制御するようにしてもよく、この場合、大面積の意図した部分のみの視線を遮蔽したり、あるいは、視線遮蔽効果にグラデーションをかけることが可能となる。更に、面状発光モジュールの発光輝度を調光可能とすれば、視線遮蔽の効果度合いをコントロールすることができる。
【００１１】
また、本発明は、前記面状発光モジュールが、少なくとも２つの前記平面部に配置され、それぞれの前記面状発光モジュールが個別に発光制御されることを特徴としている。
【００１２】
このように構成された視線遮蔽装置においては、少なくとも２つの平面部に配置された面状発光モジュールが、個別に発光制御されるので、発光面を切り替えることにより視線遮光方向を任意の方向に切り替えることができる。また、複数の発光面を発光させることによって、複数の方向からの視線を同時に遮蔽することが可能となる。
【００１３】
また、本発明は、前記長尺体が、回動自在とされて発光方向が変えられることを特徴としている。
【００１４】
このように構成された視線遮蔽装置においては、長尺体が、回動自在とされているので、発光方向を変えることができ、これによって任意の方向からの視線を遮蔽することができる。
【００１６】
このように構成された視線遮蔽装置においては、面状発光モジュールが、虫を誘導しない波長４１０ｎｍ以上の光を放射するので、視線遮蔽装置からの光によって虫が誘導されることがなく、空気、熱、光などを通過させながら、室内などへの虫の侵入を防止することができる。
【発明の効果】
【００１７】
本発明によれば、平面部に面状発光モジュールを備える複数の長尺体が、互いに所定の間隔を持って略平面状に配置されているので、長尺体の隙間から見える視線遮蔽装置の向こう側の輝度よりも、高い輝度で面状発光モジュールを発光させることによって、照度の低い領域から高い領域を見る場合や、あるいは内部から、外部を見えにくくする，使用例としては、気が散らないように外の情報を柔らかくシャットアウトしたいという場合にも、視線を遮蔽できるという効果が得られ、夜間において外部（室外）から室内が見えてしまうと言う従来のブラインド装置の問題を解消できる。
【発明を実施するための最良の形態】
【００１８】
（第１実施形態）
以下、本発明の第１実施形態に係る視線遮蔽装置を図面に基づいて詳細に説明する。図１は本発明の第１実施形態に係る視線遮蔽装置を示し、（ａ）は視線遮蔽装置の要部斜視図、（ｂ）は横断面図である。
【００１９】
図１に示すように、第１実施形態の視線遮蔽装置１０は、円棒部材の側面がカットされた平面部１２を有する形状とされた複数の長尺体１１からなる。複数の長尺体１１は、長手方向の端部（図示せず）が係止されて、互いに所定の間隔ｄ１を持ち、且つ平面部１２を所定の方向に向けて整列・配置されている。それぞれの平面部１２には、面状発光モジュール１３が配設されている。
【００２０】
面状発光モジュール１３は、例えば、ＥＬ（Electro Luminescence）などであり、図示しない制御回路から電界を印加することによって、有機物あるいは無機物からなる発光物が発光する。面状発光モジュール１３の発光する光の波長は、４１０ｎｍ以上に設定されている。
【００２１】
このような視線遮蔽装置１０を、例えば、面状発光モジュール１３側を屋外に向けて家屋の窓などに配設して、視線遮蔽装置１０を境界として面状発光モジュール１３側の領域Ａと、反対側の領域Ｂとに、区画する。昼間は、一般的に領域Ａ（屋外）の輝度が高く（即ち、明るく）、領域Ｂ（屋内）の輝度が低い（即ち、暗い）ので、屋内から屋外（領域Ｂから領域Ａ）は見えるものの、屋外から屋内の様子は見え難い。しかし、夜間には、領域Ａと領域Ｂの輝度が逆となり、屋外の輝度より屋内の輝度が高くなって屋内の様子が見えてしまう。
【００２２】
ここで、面状発光モジュール１３に制御回路から電界を印加して、領域Ｂ（屋内）の輝度より高い輝度で面状発光モジュール１３を発光させると、面状発光モジュール１３からの光によって屋内（領域Ｂ）の様子が見え難くなる。また、面状発光モジュール１３が発光する光の波長は、虫を誘導し易い４１０ｎｍ以下の波長を含まないので、虫が面状発光モジュール１３からの光によって誘導されることはなく、長尺体１１間の隙間から空気、熱、光などを通過させながら、室内などへの虫の侵入が防止される。
【００２３】
面状発光モジュール１３は、制御回路から印加される電界の大きさなどを制御して、発光輝度を調光できるようにしてもよい。発光輝度が調光可能な視線遮蔽装置１０であれば、見え難くしたい領域の明るさに合わせて輝度を調光することができる。また、面状発光モジュール１３ごとに、個別に発光制御するようにすれば、視線遮蔽装置１０の意図した部分のみの視線を遮蔽したり、あるいは、視線遮蔽効果にグラデーションをかけることが可能となる。
【００２４】
複数の長尺体１１の配列は、縦配列に限定されるものではなく、例えば、第１実施形態の視線遮蔽装置の変形例である図２に示すように所定の間隔ｄ２で横配列としてもよく、他の変形例である図３に示すように間隔ｄ１、ｄ２で縦横に配列された正方格子状配列、あるいは、更に他の変形例である図４に示すように、間隔ｄ１、ｄ２で斜めに配列された斜め格子状配列とすることもできる。なお、間隔ｄ１、ｄ２は、同じ間隔であっても、異なる間隔であってもよい。
その作用、効果は、図１に示す第１実施形態の視線遮蔽装置１０と同様であるので、説明を省略する。
【００２５】
（第２実施形態）
以下、本発明の第２実施形態に係る視線遮蔽装置について図５および図６に基づいて詳細に説明する。図５は本発明の第２実施形態に係る視線遮蔽装置の長尺体の断面図、図６は図５に示す視線遮蔽装置の発光状態を示し、（ａ）は一方の面が発光した状態、（ｂ）は他方の面が発光した状態、（ｃ）は両面が発光した状態を示す断面図である。
【００２６】
第２実施形態の視線遮蔽装置１０の長尺体１１は、図５に示すようには、円棒部材の両側面がカットされて２つの平面部１２を有する略小判型の断面を有し、２つの平面部１２にＥＬなどの面状発光モジュール１３が配設されている。それぞれの面状発光モジュール１３は、図示しない制御回路に電気的に接続されており、発光のｏｎ、ｏｆｆが切り替え可能であり、また発光輝度を調光できるようになっている。
【００２７】
このような両平面部１２に面状発光モジュール１３を有する複数の長尺体１１は、第１実施形態の視線遮蔽装置と同様に、長手方向の端部（図示せず）が係止されて、互いに所定の間隔ｄ１を持ち、且つそれぞれの平面部１２を所定の方向に向けて整列・配置されている。
【００２８】
第２実施形態の視線遮蔽装置１０によれば、図６（ａ）に示すように、領域Ａの輝度が領域Ｂの輝度より高い場合には、領域Ｂに面する側の面状発光モジュール１３を領域Ａの輝度より高い輝度で発光させることにより、領域Ａの様子を領域Ｂから見難くすることができる。また、図６（ｂ）に示すように、逆に領域Ａの輝度が領域Ｂの輝度より低い場合には、領域Ａに面する側の面状発光モジュール１３を領域Ｂの輝度より高い輝度で発光させることにより、領域Ｂの様子が領域Ａから見難くなる。更に、図６（ｃ）に示すように、領域Ａおよび領域Ｂの輝度が、不定であったり、変化するような場合には、両面の面状発光モジュール１３を発光させることにより、いずれの領域からも他方の領域の様子を見難くすることができる。
【００２９】
なお、長尺体１１の形状は、略小判型に限定されるものではなく、図７（ａ）〜（ｄ）に示すように、その断面形状を矩形形状、三角形形状、２つの平面部１２が互いに交差する半丸棒形状、平板形状など、任意の形状とすることができ、それぞれの２つの平面部１２に面状発光モジュール１３を設けるようにしてもよく、視線遮蔽効果を得たい場所や方向に応じて、任意形状とすることができる。
その作用、効果は、第１実施形態の視線遮蔽装置１０と同様であるので、説明を省略する。
【００３０】
（第３実施形態）
以下、本発明の第３実施形態に係る視線遮蔽装置について図８および図９に基づいて詳細に説明する。図８は本発明の第３実施形態に係る視線遮蔽装置の長尺体の断面図、図９は図８に示す長尺体からなる視線遮蔽装置の発光状態を示し、（ａ）は面状発光モジュールが一方の面に向けられた状態、（ｂ）は面状発光モジュールが他方の面に向けられた状態を示す断面図である。
【００３１】
第３実施形態の視線遮蔽装置１０の長尺体１１は、図８および図９に示すようには、断面略小判型とされた長尺体１１の一方の平面部１２に面状発光モジュール１３が設けられている。この長尺体１１は、軸心Ｏを中心として、少なくとも旋回角１８０度以上の範囲に回動自在とされている。
【００３２】
このような回動自在とされた長尺体１１は、第１実施形態の視線遮蔽装置と同様に、長手方向の端部（図示せず）が係止されて、互いに所定の間隔ｄ１を持ち、且つそれぞれの面状発光モジュール１３を所定の方向に向けて整列・配置されている。
【００３３】
第３実施形態の視線遮蔽装置１０は、長尺体１１が回動自在であるので、面状発光モジュール１３の発光方向を任意の方向に変えることができる。即ち、図９（ａ）に示すように、領域Ａの輝度が領域Ｂの輝度より高い場合には、面状発光モジュール１３が領域Ｂ側となるように長尺体１１を回動させ、面状発光モジュール１３を領域Ａの輝度より高い輝度で発光させることにより、領域Ａの様子を領域Ｂから見難くすることができる。
【００３４】
また、図９（ｂ）に示すように、逆に領域Ａの輝度が領域Ｂの輝度より低い場合には、
面状発光モジュール１３が領域Ａ側となるように長尺体１１を回動させ、面状発光モジュール１３を領域Ｂの輝度より高い輝度で発光させることにより、領域Ｂの様子を領域Ａから見難くすることができる。このように、第３実施形態の視線遮蔽装置１０によれば、長尺体１１を回動させるだけで、任意方向に対する視線遮蔽効果が容易に得られる。
その他の作用、効果は、第１実施形態の視線遮蔽装置１０と同様であるので、説明を省略する。
【００３５】
なお、本発明の視線遮蔽装置は、前述した各実施形態および変形例に限定されるものでなく、適宜な変形，改良等が可能である。
【００３６】
例えば、前述した各実施形態および変形例において、面状発光モジュール１３は有機または無機のＥＬとしたが、これに限定されず、本発明の面状発光モジュール１３は、少なくとも１部に透光性を有する長尺体の内部に、線状光源などを備えたものであってもよい。
【００３７】
その他、前述した各実施形態および変形例において例示した、平面部、所定の間隔、長尺体、面状発光モジュール、視線遮蔽装置部等の材質，形状，寸法，形態，数，配置個所等は本発明を達成できるものであれば任意であり、限定されない。
【図面の簡単な説明】
【００３８】
【図１】本発明の第１実施形態に係る視線遮蔽装置を示し、（ａ）は視線遮蔽装置の要部斜視図、（ｂ）は横断面図
【図２】第１実施形態の変形例の視線遮蔽装置の斜視図
【図３】第１実施形態の他の変形例の視線遮蔽装置の斜視図
【図４】第１実施形態の更に他の変形例の視線遮蔽装置の斜視図
【図５】本発明の第２実施形態に係る視線遮蔽装置の長尺体の断面図
【図６】図５に示す視線遮蔽装置の発光状態を示し、（ａ）は一方の面が発光した状態、（ｂ）は他方の面が発光した状態、（ｃ）は両面が発光した状態を示す断面図
【図７】（ａ）〜（ｄ）は図５に示す長尺体の各変形例の断面図
【図８】本発明の第３実施形態に係る視線遮蔽装置の長尺体の断面図
【図９】図８に示す長尺体からなる視線遮蔽装置の発光状態を示す断面図
【符号の説明】
【００３９】
１０  視線遮蔽装置
１１  長尺体
１２  平面部
１３  面状発光モジュール
ｄ１、ｄ２  所定の間隔
【図１】
0005288591.tif 000002
【図２】
0005288591.tif 000003
【図３】
0005288591.tif 000004
【図４】
0005288591.tif 000005
【図５】
0005288591.tif 000006
【図６】
0005288591.tif 000007
【図７】
0005288591.tif 000008
【図８】
0005288591.tif 000009
【図９】
0005288591.tif 000010